(57)【要約】【課題】操作部の移動するストロークが長くても、長さ寸法を抑えることができるスライドスイッチを提供する。【解決手段】収容部４０に固定接点４５が設けられたケース４と、ケース４の長手方向へスライド移動可能に収容部４０に配置されたスライド部材２と、固定接点４５と摺接可能な可動接点２５と、スライド移動に伴う操作感触を生じさせるための突出部５１ａを有したクリック板バネ５１と、収容部４０を覆うカバー部材６とを備えたスライドスイッチ１において、スライド部材２は、可動接点２５が配設される本体部２１と本体部２１からクリック板バネ５１に向かって突出するカム部２３と操作部２２とを有し、収容部４０には、収容部の底面４０ａから上方へ突出すると共にスライド部材２を前記長手方向へ移動可能に案内する案内部４３が設けられており、カム部２３が案内部４３の上方に位置して、突出部５１ａと係脱可能に配設されている。【選択図】図２
0003184135.tif 000002
【実用新案登録請求の範囲】
【請求項１】
上方が開放された収容部に固定接点が設けられたケースと、このケースから露出した操作部を有すると共に前記ケースの長手方向へスライド移動可能に前記収容部に配置されたスライド部材と、このスライド部材に設けられ前記固定接点と摺接可能な可動接点と、前記スライド部材のスライド移動に伴う操作感触を生じさせるための突出部を有したクリック板バネと、前記収容部を覆うカバー部材とを備えたスライドスイッチにおいて、
前記スライド部材は、前記可動接点が設けられる本体部と当該本体部から前記クリック板バネに向かって突出するカム部とを有し、
前記収容部には、当該収容部の底面から上方へ突出すると共に前記スライド部材を前記長手方向へ移動可能に案内する案内部が設けられており、前記カム部が前記案内部の上方に位置して、前記突出部と係脱可能に配設されていることを特徴とするスライドスイッチ。
【請求項２】
前記収容部は、前記本体部が収容される第１収容部と前記クリック板バネが収容される第２収容部とを有すると共に、前記クリック板バネは、その板面が前記第２収容部の底面と交差するように配設されており、前記第１収容部と前記第２収容部との間に、前記案内部を構成する突堤部が設けられ、前記突出部に対応する位置における前記突堤部には開口部が形成され、この開口部から前記突出部が前記第１収容部に露出していることを特徴とする請求項１に記載のスライドスイッチ。
【請求項３】
前記突堤部は、前記開口部を挟んで前記長手方向における両側に延設されており、前記本体部の端部は、前記突堤部の側面と対向していることを特徴とする請求項２に記載のスライドスイッチ。
【請求項４】
前記クリック板バネには、前記スライド部材とは反対側に配置された補助板バネが重ねられると共に、前記補助板バネと前記クリック板バネとは、長手方向における寸法が異なっており、前記第２収容部には、前記補助板バネの両端部を支持する第１支持部と前記クリック板バネの両端部を支持する第２支持部とが設けられていることを特徴とする請求項２または請求項３に記載のスライドスイッチ。
【考案の詳細な説明】
【技術分野】
【０００１】
本考案は、スライドスイッチに関し、特に、スライド操作時にクリック感触を得られるスライドスイッチに関する。
【背景技術】
【０００２】
音楽プレーヤや携帯電話等の小型の電子機器に、操作用のスライドスイッチが用いられている。このようなスライドスイッチとして、操作部のスライド操作時にクリック感を付与するものが知られている。
【０００３】
特許文献１には、スライドスイッチの薄型化を図ると共にクリック感を高めることができるスイッチ装置２００が開示されている。図１０は、スイッチ装置２００を示す分解斜視図である。図１１は、スライド操作によるスイッチ装置２００の状態を示す模式平面図である。
【０００４】
図１０に示すように、スイッチ装置２００は、ケース２０１と、カバー部材２０３と、使用者によりスライド操作されるスライド部材２０２と、を有している。ケース２０１の内部は中間が開口した壁により分割されており、接点収納部２０１ａ、板バネ収納部（弾性部材収容部）２０１ｂとなっている。接点収納部２０１ａは、スライド部材２０２が収納されるとともに、その底面には、固定接点部材がインサート成形により一体に設けられている。板バネ収納部２０１ｂには、板バネ２０５と受け板２０６とが重ね合わされた状態で収納されている。スライド部材２０２は成形材で形成され、操作部２０２ａと可動接点保持部２０２ｂが設けられており、操作部２０２ａはスライド部材２０２を接点収納部２０１ａ内に配設した状態で開口部２０１ｄから上方へ突出している。可動接点保持部２０２ｂには、可動接点部材２０４が組み付けられる。
【０００５】
また、板バネ収納部２０１ｂと接点収納部２０１ａとは、開口部２０１ｆによって連結されている。スライド部材２０２の下面中央部には、頂部が断面円弧状の突出部２０２ｃが形成されている。板バネ２０５は金属材にて帯状に形成され、中央部に係合部２０５ａが形成されている。係合部２０５ａは頂部が円弧状に形成され、スライド部材２０２の突出部２０２ｃと係合するようになっている。
【０００６】
スイッチ装置２００は、スライド操作によって、図１１のように状態が変化する。図１１（ａ）、図１１（ｂ）、及び図１１（ｃ）に示すように、突出部２０２ｃが係合部２０５ａの頂部を乗り越えると、板バネ２０５の弾性変形量が大きく変化し、明瞭なクリック感触が得られる。
【先行技術文献】
【特許文献】
【０００７】
【特許文献１】特開２０１２−２８２４２号公報
【考案の概要】
【考案が解決しようとする課題】
【０００８】
しかしながら、長手方向にスライド移動するストロークが長くなると、突出部２０２ｃと係合部２０５ａとが係合する壁部の開口部２０１ｆも同方向に長くする必要があった。そして、スライド部材２０２は、この壁部で案内されているので、スライド部材２０２の長手方向の寸法も長くなり、スイッチ装置２００の外形寸法が長手方向に長くなる。
【０００９】
近年、電子機器の小型化に伴い、スライドスイッチにも外形の小型化が望まれている。そのため、操作部の移動するストロークが長くても、全体の長さ寸法を抑える必要があった。
【００１０】
本考案は、上述した課題を解決するもので、操作部の移動するストロークが長くても、長さ寸法を抑えることができるスライドスイッチを提供することを目的とする。
【課題を解決するための手段】
【００１１】
本考案は、上方が開放された収容部に固定接点が設けられたケースと、このケースから露出した操作部を有すると共に前記ケースの長手方向へスライド移動可能に前記収容部に配置されたスライド部材と、このスライド部材に設けられ前記固定接点と摺接可能な可動接点と、前記スライド部材のスライド移動に伴う操作感触を生じさせるための突出部を有したクリック板バネと、前記収容部を覆うカバー部材とを備えたスライドスイッチにおいて、前記スライド部材は、前記可動接点が設けられる本体部と当該本体部から前記クリック板バネに向かって突出するカム部とを有し、前記収容部には、当該収容部の底面から上方へ突出すると共に前記スライド部材を前記長手方向へ移動可能に案内する案内部が設けられており、前記カム部が前記案内部の上方に位置して、前記突出部と係脱可能に配設されている、ことを特徴とする。
【００１２】
スライド部材のカム部と、ケースに設けられた前記案内部と、が重畳するように配設されているので、カム部と案内部とが干渉せず、スライド部材のスライド移動に伴うカム部の移動を案内部が妨げることがない。このため、スライド部材の本体部及びスライド部材の本体部を収容する収容部の長手方向の寸法を抑制することができる。これによりケースの長手方向の長さ寸法を抑えることができる。
【００１３】
本考案のスライドスイッチにおいて、前記収容部は、前記本体部が収容される第１収容部と前記クリック板バネが収容される第２収容部とを有すると共に、前記クリック板バネは、その板面が前記第２収容部の底面と交差するように配設されており、前記第１収容部と前記第２収容部との間に、前記案内部を構成する突堤部が設けられ、前記突出部に対応する位置における前記突堤部には開口部が形成され、この開口部から前記突出部が前記第１収容部に露出している、ことを特徴とする。
【００１４】
クリック板バネが開口部から突出部を露出するので、突堤部の寸法に依らずクリック板バネの上下方向の寸法を大きくすることができる。これにより、クリック板バネのバネ力を強くすることができるので、用途に応じた強さのクリック感触を得ることができる。
【００１５】
本考案のスライドスイッチにおいて、前記突堤部は、前記開口部を挟んで前記長手方向における両側に延設されており、前記本体部の端部は、前記突堤部の側面と対向している、ことを特徴とする。
【００１６】
スライド部材が長手方向にスライド移動される全範囲において、本体部の端部は突堤部の側面と対向するので、スライド部材の案内が確実にできる。
【００１７】
本考案のスライドスイッチにおいて、前記クリック板バネには、前記スライド部材とは反対側に配置された補助板バネが重ねられると共に、前記補助板バネと前記クリック板バネとは、長手方向における寸法が異なっており、前記第２収容部には、前記補助板バネの両端部を支持する第１支持部と前記クリック板バネの両端部を支持する第２支持部とが設けられている、ことを特徴とする。
【００１８】
補助板バネが重ねられているので、板バネの強さ、クリック感触を高めることができる。また、第１支持部と第２支持部とは寸法が異なっているので、クリック板バネを挿入するときに補助板バネが位置ズレしない。
【考案の効果】
【００１９】
本考案のスライドスイッチは、収容部の底面から上方へ突出する案内部が設けられ、スライド部材のカム部が案内部の上方に位置して、クリック板バネの突出部と係脱可能に配設されているので、スライド移動に伴うカム部の移動を案内部が妨げることがない。このため、スライド部材の本体部及びスライド部材の本体部を収容する収容部の長手方向の寸法を抑制することができる。これによりケースの長手方向の寸法を抑えることができる。したがって、操作部の長手方向に移動するストロークが長くても、長さ寸法を抑えることができるスライドスイッチを提供することができる。
【図面の簡単な説明】
【００２０】
【図１】本考案の実施形態のスライドスイッチを示す斜視図である。
【図２】本考案の実施形態のスライドスイッチを示す分解斜視図である。
【図３】本考案の実施形態のスライドスイッチを示す平面図である。
【図４】スライド部材及び可動接点を示す説明図であり、（ａ）は平面図、（ｂ）は正面図、（ｃ）は側面図、（ｄ）は底面図である。
【図５】図３のＶ−Ｖ線で切断した断面図である。
【図６】カバー部材を透視したスライドスイッチの状態を示す模式平面図である。
【図７】図６の状態からスライド部材をスライド移動させている模式平面図である。
【図８】図７の状態からさらにスライド部材をスライド移動させたときの模式平面図である。
【図９】本考案の実施形態のスライドスイッチの変形例を示す断面図である。
【図１０】従来のスイッチ装置を示す分解斜視図である。
【図１１】従来のスイッチ装置の状態を示す模式平面図である。
【考案を実施するための形態】
【００２１】
以下に本考案の実施形態におけるスライドスイッチ１について説明する。
【００２２】
図１は、本考案の実施形態のスライドスイッチ１を示す斜視図である。図２は、本考案の実施形態のスライドスイッチ１を示す分解斜視図である。図３は、本考案の実施形態のスライドスイッチ１を示す平面図である。図４は、スライド部材２及び可動接点２５を示す説明図であり、図４（ａ）は平面図、図４（ｂ）は正面図、図４（ｃ）は側面図、図４（ｄ）は底面図である。図５は、図３のＶ−Ｖ線で切断した断面図である。図６は、カバー部材を透視したスライドスイッチ１の状態を示す模式平面図である。図７は、図６の状態からスライド部材２をスライド移動させている模式平面図である。図８は、図７の状態からさらにスライド部材２をスライド移動させたときの模式平面図である。
【００２３】
本実施形態のスライドスイッチ1は、図１に示すように、ケース４とカバー部材６とを一体化して、ケース４の長手方向（Ｘ１−Ｘ２方向）へスライド移動操作するための操作部２２が突出したスライド部材２をスライド移動可能に収容した構造である。図２に示すように、ケース４とカバー部材６と間には、スライド部材２と、スライド部材２の可動接点収容部２１ｃに配設された可動接点２５と、突出部５１ａを有したクリック板バネ５１と、補助板バネ５２と、が収容されている。なお、説明を簡単にするために、図１のＺ１側を上方として説明する。
【００２４】
図２に示すように、ケース４は、上方（Ｚ１側）が開放された収容部４０を備えており、収容部４０に固定接点４５が設けられている。ケース４は、絶縁性樹脂材料と、金属板を加工して形成された固定接点４５と、を用いたインサート成形によって、一体形成されている。
【００２５】
スライド部材２は、ケース４から露出した操作部２２と、可動接点２５が設けられる可動接点収容部２１ｃを有する本体部２１と、本体部２１からクリック板バネ５１に向かって（Ｙ１側に）突出するカム部２３と、を有している。
【００２６】
可動接点２５は、金属のバネ材料からなり、スライド部材２に設けられた可動接点収容部２１ｃに収容されている。可動接点２５は、ケース４に設けられている固定接点４５と摺接可能に配置され、スライド部材２と共にスライド移動する。
【００２７】
クリック板バネ５１は、金属のバネ材料からなり、収容部４０に収容されている。クリック板バネ５１は、スライド部材２のスライド移動に伴う操作感触を生じさせるための突出部５１ａを有している。
【００２８】
補助板バネ５２は、クリック板バネ５１と同じバネ材料からなり、クリック板バネ５１に対して、スライド部材２とは反対側に配置されるようにして収容部４０に収容されている。補助板バネ５２の長手方向（Ｘ１−Ｘ２方向）の長さは、クリック板バネ５１の長手方向の長さより長くなっている。本実施形態では、補助板バネ５２とクリック板バネ５１とによって、板バネ５が構成されている。
【００２９】
カバー部材６は、可動接点２５が配設されたスライド部材２、クリック板バネ５１、及び補助板バネ５２が収容部４０に収容された状態で、上方（Ｚ１側）から収容部４０を天面６１が覆うようにケース４に装着される。このとき、ケース４の突起部４９にカバー部材６の嵌合部６２が嵌合して、カバー部材６とケース４とが一体化する。
【００３０】
ケース４の収容部４０は、収容部４０の底面４０ａから上方（Ｚ１側）へ突出する突堤部４６が設けられて、本体部２１がスライド移動可能に収容される第１収容部４１と、クリック板バネ５１及び補助板バネ５２が収容される第２収容部４２とに分けられている。突堤部４６は、スライド部材２を長手方向へ移動可能に案内する案内部４３を構成している。さらに、クリック板バネ５１の突出部５１ａに対応する位置における突堤部４６には開口部４７が形成されている。そして、クリック板バネ５１は、その板面が第２収容部４２の底面４２ａと交差するように配設されているので、開口部４７からＹ２方向に突出部５１ａが第１収容部４１に露出している。
【００３１】
第２収容部４２には、補助板バネ５２の長手方向（Ｘ１−Ｘ２方向）の両端部５２ｂを支持する第１支持部４２ｂと、クリック板バネ５１の長手方向（Ｘ１−Ｘ２方向）の両端部５１ｂを支持する第２支持部４２ｃと、が設けられている。第１支持部４２ｂは、補助板バネ５２の両端部５２ｂを上方（Ｚ１側）から挿入しやすいように形成された溝である。第２支持部４２ｃは、補助板バネ５２を誤挿入できないように配置された溝であり、第１支持部４２ｂに補助板バネ５２が挿入された後に、クリック板バネ５１を上方（Ｚ１側）から挿入できるように形成されている。第１支持部４２ｂに支持された補助板バネ５２、及び、第２支持部４２ｃに支持されたクリック板バネ５１は、補助板バネ５２の中央部５２ａをＹ１側に屈曲させる弾性変形だけが可能になっている。
【００３２】
本実施形態のスライド部材２は、図４に示すように、Ｚ１側から見ると平坦面を有する一方、本体部２１からＹ２側に突出する操作部２２がＺ２側に厚く形成されて操作しやすい大きさを有するように形成されている。本体部２１のＺ２側の面には、可動接点収容部２１ｃが凹状に設けられて、可動接点２５が配設されている。可動接点２５が配設されている本体部２１は、Ｙ１側及びＹ２側に平坦面が形成された端部２１ａ、２１ｂを有している。本体部２１の端部２１ａ、２１ｂに対して、カム部２３はＹ１側に突出すると共にＺ１側に偏った位置に形成されている。図４（ｂ）及び図４（ｃ）に示すように、カム部２３のＺ１−Ｚ２方向の厚さは、本体部２１の半分程度である。これにより、スライド部材２の本体部２１は、端部２１ａ、２１ｂを含むＹ１側の平坦面のＺ２側の部分が、突堤部４６の側面４６ａと対向する面となる。
【００３３】
図５に示すように、ケース４の収容部４０には、底面４０ａから上方（Ｚ１側）へ突出する突堤部４６が設けられており、Ｙ２側の第１収容部４１と、Ｙ１側の第２収容部４２とに分けられている。スライド部材２のカム部２３は、図５に示すように、突堤部４６の上方（Ｚ１側）に位置している。
【００３４】
案内部４３を構成する突堤部４６は、開口部４７を挟んでＸ１方向及びＸ２方向に延設されており、図６〜図８に示すように、スライド部材２の本体部２１が突堤部４６の側面４６ａに沿って長手方向へ移動可能に案内される。図６に示すように、スライド部材２がＸ２方向の末端までスライド移動された状態において、本体部２１の端部２１ａは、突堤部４６の側面４６ａと対向している。図７に示すように、Ｘ１方向に向かって、スライド部材２をスライド移動している状態においても、本体部２１の端部２１ａ、２１ｂは、突堤部４６の側面４６ａと対向している。このとき、カム部２３は、開口部４７及びその両側の突堤部４６の上方（Ｚ１側）に位置している。そして、図８に示すように、スライド部材２がＸ１方向の末端までスライド移動された状態においても、本体部２１の端部２１ｂは、突堤部４６の側面４６ａと対向している。
【００３５】
スライド部材２のカム部２３はクリック板バネ５１の突出部５１ａと係脱可能に配設されている。操作者によってケース４の長手方向（Ｘ１−Ｘ２方向）へ操作部２２がスライド移動操作されるのに伴い、図６〜図８に示すように、スライド部材２のカム部２３がクリック板バネ５１の突出部５１ａと係脱し、クリック板バネ５１が弾性変形する。このクリック板バネ５１の弾性変形によって、明瞭なクリック感触が得られる。
【００３６】
このとき、クリック板バネ５１に対して、補助板バネ５２がスライド部材２とは反対側に配置されているので、クリック板バネ５１が弾性変形するのに伴い、補助板バネ５２も弾性変形する。これにより、クリック板バネ５１の強さに対して、補助板バネ５２の強さが付加される。補助板バネ５２とクリック板バネ５１とは、板バネ５として一体で弾性変形する。補助板バネ５２が重ねられているので、板バネ５の強さ、クリック感触を高めることができる。また、板バネ５が補助板バネ５２とクリック板バネ５１とに分かれて加工されているので、補助板バネ５２とクリック板バネ５１とが重ねられた厚さの１枚の板バネを加工する場合に比べ、製造が容易である。
【００３７】
小型の電子機器に使用されるスライドスイッチのケース外形寸法は６ｍｍ程度で、ストロークが１．５ｍｍ程度である。従来の構造では、ストロークを２倍に長くしようとすれば、ケースの長さ寸法を２０ｍｍ程度にしなければならない。これに対し、本実施形態のスライドスイッチ１は、ストロークを２倍にしても、ケースの長さ寸法を１２ｍｍ程度に抑えることができる。また、同じストロークの場合には、ケースの長さ寸法をより小さくすることが可能である。
【００３８】
以下、本実施形態としたことによる効果について説明する。
【００３９】
本実施形態のスライドスイッチ１において、スライド部材２は、可動接点２５が設けられる本体部２１と本体部２１からクリック板バネ５１に向かって突出するカム部２３とを有している。収容部４０には、収容部４０の底面４０ａから上方へ突出すると共にスライド部材２を長手方向へ移動可能に案内する案内部４３（突堤部４６）が設けられており、カム部２３が案内部４３（突堤部４６）の上方に位置して、突出部５１ａと係脱可能に配設されている。この態様によれば、スライド部材２のカム部２３と、ケース４に設けられた案内部４３と、が重畳するように配設されているので、スライド部材２のスライド移動に伴うカム部２３の移動を案内部４３が妨げることがない。このため、ストロークを長くする際に、本体部２１とカム部２３との長さはストロークの増加分だけでよい。したがって、カム部２３と案内部４３とが干渉する従来構造でストロークを長くする場合に比べ、スライド部材２の本体部２１及びスライド部材２の本体部２１を収容する収容部４０の長手方向の寸法を抑制することができる。これによりケース４の長手方向の長さ寸法を抑えることができる。
【００４０】
また、開口部４７のＸ１−Ｘ２方向の寸法は、突出部５１ａの寸法によって決められるが、カム部２３のＸ１−Ｘ２方向の寸法には依存しない。したがって、操作部２２の長手方向に移動するストロークが長くなってカム部２３の寸法が長くなっても、開口部４７の寸法を変えなくてよいので、スライド部材２の長さを長くしなくてもスライド移動のガイドができる。したがって、ケース４の長手方向の長さ寸法を抑えることができる。
【００４１】
さらに、突堤部４６は、開口部４７を挟んで長手方向における両側に延設されており、スライド部材２が長手方向の末端までスライド移動された状態においても、本体部２１の端部２１ａ、２１ｂは、突堤部４６の側面４６ａと対向している。スライド部材２が長手方向にスライド移動される全範囲において、本体部２１の端部２１ａ、２１ｂは突堤部４６の側面４６ａと対向するので、スライド部材２の案内が確実にできる。
【００４２】
さらに、クリック板バネ５１には、スライド部材２とは反対側に配置された補助板バネ５２が重ねられると共に、補助板バネ５２とクリック板バネ５１とは、長手方向における寸法が異なっている。第２収容部４２には、補助板バネ５２の両端部５２ｂを支持する第１支持部４２ｂとクリック板バネ５１の両端部５１ｂを支持する第２支持部４２ｃとが設けられている。補助板バネ５２が重ねられているので、板バネ５の強さ、クリック感触を高めることができる。また、第１支持部と第２支持部とは寸法が異なっているので、クリック板バネ５１を挿入するときに補助板バネ５２が位置ズレしない。
【００４３】
以上のように、本実施形態のスライドスイッチ１を具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【００４４】
（１）本実施形態において、案内部４３として、ケース４の収容部４０に底面４０ａから突出する突堤部４６が設けられたが、階段状に設けられたものであってもよい。図９は、図５に示す本実施形態の断面図と同じ位置における変形例の断面図である。
【００４５】
図９に示すように、変形例は、ケース７の収容部７０は、底面７０ａを有する第１収容部７１と、案内部７３が階段状に設けられた第２収容部７２と、からなる。第２収容部７２は底面７２ａを有する。スライド部材２、可動接点２５、及びカバー部材６は図５に示すものと同じである。
【００４６】
収容部４０は、本体部２１が収容される第１収容部４１とクリック板バネ８１が収容される第２収容部７２とを有すると共に、クリック板バネ８１は、その板面が第２収容部７２の底面７２ａと交差するように配設されている。
【００４７】
板バネ８を構成する補助板バネ８２とクリック板バネ８１とは、Ｚ１−Ｚ２方向の寸法が第２収容部７２の寸法に合わせて、小さくなっている。しかしながら、スライド部材２のカム部２３は、クリック板バネ８１の突出と係脱可能に配設されるので、バネ力を厚み等で調整して、クリック感触を高めることができる。また、この態様によれば、案内部７３には開口部４７が不必要であり、収容部７０を容易に形成することができる。
【００４８】
なお、この変形例と異なり、図５〜図８の場合には、第１収容部４１と第２収容部４２との間に、案内部４３を構成する突堤部４６が設けられ、突出部５１ａに対応する位置における突堤部４６には開口部４７が形成され、この開口部４７から突出部５１ａが露出している。クリック板バネ５１が開口部４７から突出部５１ａを第１収容部４１に露出するので、突堤部４６突堤部４６のＺ１−Ｚ２方向の寸法に依らずクリック板バネ５１のＺ１−Ｚ２方向の寸法を大きくすることができる。これにより、クリック板バネ５１のバネ力を強くすることができるので、用途に応じた強さのクリック感触を得ることができる。
【００４９】
（２）本実施形態において、本体部２１からＹ２側に突出する操作部２２がＺ１側に平坦でＺ２側に厚く形成された形状としたが、Ｚ１側に突出する形状としてもよい。例えば、回路基板に実装された状態で、回路基板に垂直な上方（Ｚ１側）から操作する場合に、操作部２２がＺ１側に突出した形状が適している。なお、スライドスイッチ１の形状は、回路基板の１辺に臨んだ位置に実装され、回路基板の側方（Ｙ２側）から操作する場合に適した形状である。
【符号の説明】
【００５０】
１      スライドスイッチ
２      スライド部材
４、７  ケース
５、８  板バネ
６      カバー部材
２１    本体部
２１ａ、２１ｂ  端部
２１ｃ  可動接点収容部
２２    操作部
２３    カム部
２５    可動接点
４０、７０  収容部
４０ａ、７０ａ  底面
４１、７１  第１収容部
４２、７２  第２収容部
４２ａ、７２ａ  底面
４２ｂ  第１支持部
４２ｃ  第２支持部
４３、７３  案内部
４５    固定接点
４６    突堤部
４６ａ  側面
４７    開口部
４９    突起部
５１、８１  クリック板バネ
５１ａ  突出部
５１ｂ  両端部
５２、８２  補助板バネ
５２ａ  中央部
５２ｂ  両端部
６１    天面
６２    嵌合部
【図１】
0003184135.tif 000003
【図２】
0003184135.tif 000004
【図３】
0003184135.tif 000005
【図４】
0003184135.tif 000006
【図５】
0003184135.tif 000007
【図６】
0003184135.tif 000008
【図７】
0003184135.tif 000009
【図８】
0003184135.tif 000010
【図９】
0003184135.tif 000011
【図１０】
0003184135.tif 000012
【図１１】
0003184135.tif 000013